(57)【特許請求の範囲】
【請求項１】
シート材（１）をステーションを通る前進方向（F）に沿って方向付けるように配置された方向付け手段（７５）を具備し、
成形手段（６）を有するシート材成形ステーション（５）が設けられ、
該成形手段は、該シート材（１）の部分を変形して該シート材（１）の非変形部分により連結された容器（５３、５４、５５、５６、８０）のシェル（５０、５０ａ、５０ｂ）を得るように構成され、
該シェル（５０、５０ａ、５０ｂ）を該シート材（１）から切り離なすせん断ステーション（１１）が設けられ、
該成形ステーション（５）と該せん断ステーション（１１）との間に、該シェル（５０、５０ａ、５０ｂ）に生産物（５２）を満たす充填ステーション（７、７ａ）が配置され、
該シェル（５０、５０ａ、５０ｂ）を閉じるための別のシート材（２０）を給配するように配置された挿入手段（３２、８１）を具備し、
該挿入手段（３２、８１）は該別のシート材（２０）の第一側を該シート材（１）の第二部分（１ｂ）に対応させ、該別のシート材（２０）の第二側を該シート材（１）の第一部分（１ａ）に対応させることを特徴とする装置。
【請求項２】
シート材（１）をステーションを通る前進方向（F）に沿って方向付けるように配置された方向付け手段（７５）を具備し、
成形手段（６）を有するシート材成形ステーション（５）が設けられ、
該成形手段は、該シート材（１）の部分を変形して該シート材（１）の非変形部分により連結された容器（５３、５４、５５、５６、８０）のシェル（５０、５０ａ、５０ｂ）を得るように構成され、
該シェル（５０、５０ａ、５０ｂ）を該シート材（１）から切り離なすせん断ステーション（１１）が設けられ、
該成形ステーション（５）と該せん断ステーション（１１）との間に、該シェル（５０、５０ａ、５０ｂ）を生産物（５２）で満たす充填ステーション（７、７ａ）が配置され、
前記前進方向（F）と平行な折り目線（S）を通る共通平面で、該シート材（１）の第一部分（１ａ）と該シート材（１）の第二部分（１ｂ）とを折り重ねるための偏倚手段（７６）を具備し、
該偏倚手段（７６）は該充填ステーション（７、７ａ）の上流に配置されたことを特徴とする装置。
【請求項３】
前記充填ステーション（７）の下流に配置され、前記シート材の第二部分（１ｂ）を前記シート材の第一部分（１ａ）に、前記前進方向（F）に平行な意図的に設けられた折り目線（S）に沿って折り重ねるために折曲げ手段（９）を具備した請求項１記載の装置。
【請求項４】
前記シート材の前記第二部分（１ｂ）と前記シート材の前記第二部分（１ａ）とを折って、それら部分を、前記前進方向（F）に平行な意図的に設けられた折り目線（S）を通る鉛直面内で互いに重ねるための偏倚手段（７６）を具備した請求項１記載の装置。
【請求項５】
前記偏倚手段（７６）が前記充填ステーション（７ａ）の上流に配置された請求項４記載の装置。
【請求項６】
前記シート材の前記第一部分（１ａ）と前記シート材の前記第二部分（１ｂ）との間に別のシート材（２０）を挿入するように配置された挿入手段（３２、８１）を具備した請求項２記載の装置。
【請求項７】
前記挿入手段が前記シート材（１）の第一部分（１ａ）に上に延設された押込手段（３２）を有する請求項１、３〜６のいずれかに記載の装置。
【請求項８】
前記挿入手段（３２）は、前記別のシート材（２０）が前記前進方向（F）と平行に延びて配置できるように構成された請求項７記載の装置。
【請求項９】
前記折曲げ手段（９）の下流に配置され、前記シート材（１）の第一部分（１ａ）と前記シート材（１）の第二部分（１ｂ）とを、形成される容器（８０）の少なくとも周縁の基本的部分で、互いに接合させるための接合ステーション（１０）を具備した請求項２、３、６〜８のいずれかに記載の装置。
【請求項１０】
前記接合ステーションは溶着ステーション（１０）である請求項９記載の装置。
【請求項１１】
前記溶着ステーション（１０）は、前記容器（８０）に明らかな上部開口（６４）を残して、前記シート材（１）の前記第一部分（１ａ）と前記シート材（１）の前記第二部分（１ｂ）とを溶着可能である請求項１０記載の装置。
【請求項１２】
前記充填ステーションの下流に配置され、前記開口（６４）を閉じて前記容器（８０）をシールするシールステーション（８ｂ）を具備した請求項１１記載の装置。
【請求項１３】
前記シート材（１）の前記第一部分（１ａ）と前記シート材（１）の前記第二部分（１ｂ）とが互いに合わされる時に、前記シート材（１）の前記第一部分（１ａ）と前記シート材（１）の前記第二部分（１ｂ）とを互い少しずれるのをほぼ防ぐために配設された位置決め部材（４０、４１）を形成する形成手段を具備した先行する請求項のいずれかに記載の装置。
【請求項１４】
前記成形手段は前記生産物（５２）が各前記容器（５０）から不用意にこぼれるを防ぐための停止部材（３３）を形成できる先行する請求項のいずれかに記載の装置。
【請求項１５】
前記充填ステーション（７）の下流に配置され、前記シート材（１）の縁（Ｂ）と前記折り目線（S）との間に延びる線（５７）に沿って前記シート材（１）の前記第一部分（１ａ）を切り離す切断手段を具備した請求項３記載の装置。
【請求項１６】
前記シート材（１）の部分を変形して、該シート材（１）の非変形部分により連結されたシェル（５０、５０ａ、５０ｂ）を得るように該シート材（１）を成形する工程と、
該シェル（５０、５０ａ、５０ｂ）に生産物（５２）を充填する工程と、
該充填する工程の後に、該シェル（５０、５０ａ、５０ｂ）を該シート材（１）から切り離なす工程と、
該シェル（５０、５０ａ、５０ｂ）を閉じるための別のシート材（２０）を給配する工程とを含む方法であって、
該給配する工程が、該別のシート材（２０）の第一側を該シート材（１）の第二部分（１ｂ）に対応させ、該別のシート材（２０）の第二側を該シート材（１）の第一部分（１ａ）に対応させることを特徴とする上記方法。
【請求項１７】
前記シート材（１）の部分を変形して、該シート材（１）の非変形部分により連結されたシェル（５０、５０ａ、５０ｂ）を得るように該シート材（１）を成形する工程と、
該シェル（５０、５０ａ、５０ｂ）に生産物（５２）を充填する工程と、
該充填する工程の後に、該シェル（５０、５０ａ、５０ｂ）を該シート材（１）から切り離なす工程と、
前記前進方向（F）と平行な折り目線（S）を通る共通平面で、該シート材（１）の第一部分（１ａ）と該シート材（１）の第二部分（１ｂ）とを折り重ねる工程とを具備した方法であって、
該折り重ねる工程が該充填する工程の上流に設けられたことを特徴とする上記方法。
【請求項１８】
前記充填工程の後に、前記シート材の第二部分（１ｂ）を前記シート材の第一部分（１ａ）に、前記前進方向（F）に平行な意図的に設けられた折り目線（S）に沿って折り重ねるための折り重ね工程を具備した請求項１６記載の方法。
【請求項１９】
前記シート材の前記第二部分（１ｂ）と前記シート材の前記第一部分（１ａ）とを折って、それら部分を、前記前進方向（F）に平行な意図的に設けられた折り目線（S）を通る共通鉛直面内で互いに重ねるための折り重ね工程を具備した請求項１６記載の方法。
【請求項２０】
前記折り重ね工程が前記充填工程の前に設けられた請求項１９記載の方法。
【請求項２１】
前記シート材の前記第一部分（１ａ）と前記シート材の前記第二部分（１ｂ）との間に別のシート材（２０）を挿入する挿入工程を具備した請求項１７記載の方法。
【請求項２２】
前記挿入工程が、前記シート材の前記第二部分（１ｂ）上に前記別のシート材（２０）を置く工程を有する請求項１６、１８〜２１のいずれにか記載の方法。
【請求項２３】
前記挿入工程は、前記別のシート材（２０）が前記前進方向（F）と平行に延びて配置できるように構成された請求項２２記載の方法。
【請求項２４】
前記折り重ね工程の後に、前記シート材（１）の前記第一部分（１ａ）と前記シート材（１）の前記第二部分（１ｂ）とを、形成される容器（８０）の少なくとも周縁の基本的部分で、互いに接合させるための接合工程を具備した請求項１７〜２３のいずれかに記載の方法。
【請求項２５】
前記接合工程は溶着工程を有する請求項２４記載の方法。
【請求項２６】
前記溶着工程は、前記容器（８０）に開口（６４）を残して、前記シート材（１）の前記第一部分（１ａ）と前記シート材（１）の前記第二部分（１ｂ）とを溶着可能である請求項２５記載の方法。
【請求項２７】
前記充填工程の後に、前記開口（６４）を閉じて容器（８０）をシールするシール工程を具備した請求項２０及び２６記載の方法。
【請求項２８】
前記シート材（１）の前記第一部分（１ａ）と前記シート材（１）の前記第二部分（１ｂ）とが互いに合わされる時に、前記シート材（１）の前記第一部分（１ａ）と前記シート材（１）の前記第二部分（１ｂ）とが互いに少しずれるのをほぼ防ぐために配設された位置決め手段（４０、４１）を形成する形成工程を具備した請求項１６〜２７のいずれかに記載の方法。
【請求項２９】
前記成形工程が、前記生産物（５２）を各前記容器（５０）から不用意にこぼれるを防ぐための停止部材（３３）を形成できる請求項１６〜２８のいずれかに記載の方法。
【請求項３０】
前記充填工程の後に、前記シート材（１）の縁（Ｂ）と前記折り目線（S）との間に延びる線（５７）に沿って前記シート材（１）の前記第一部分（１ａ）を切り離す切断工程を具備した請求項１８、及び請求項２１〜２９のいずれかに記載の方法。
【請求項３１】
シート材から得られる壁を有する容器であって、
該容器（５０）は、第一周縁部分を有する第一部分と、第二周縁部分を有する第二部分とを具備し、
該第一部分の該第一周縁部分は該第二部分の該第二周縁部分に結合されており、
介在部材（２０）が該第一周縁部分と該第二周縁部分との間に挿入されいて、前記第一部分に第一チャンバを形成し、前記第二部分に第二チャンバを形成し、  該介在部材（２０）の第一側が該第一チャンバに面し、該介在部材（２０）の第二側が該第二チャンバに面したことを特徴とする上記容器。
【請求項３２】
前記介在部材は前記第一周縁部分と前記第二周縁部分との少なくとも一つに剥がせるように溶着された別のシート材（２０）を有する請求項３１記載の容器。
【請求項３３】
前記介在部材（２０）は、前記第一周縁部分と前記第二部分の両方に剥がせるように溶着された請求項３１又は３２記載の容器。
【発明の詳細な説明】
【０００１】
この発明は、製造物のための装置・方法・容器に関し、プラスチックシート材を成形して得られるシェルを熱成形し、充填し、連結することが実施される。
【０００２】
従来技術では、生産物用の熱成形された容器は、基部と蓋とを有し、その基部には生産物の主部分が入れられ、その蓋は、溶着、又は、クランプやスナップ固定部材等により、機械的にその基部の上縁に取り付けられる。
その基部と蓋とがほぼ同じ高さでも、違う高さでもよく、蓋は普通は基部よりも深さが小さい。
【０００３】
その容器では、その蓋と基部は、互いに隣接していて、熱成形されて、プラスチック材薄片で互いに連結されている。その薄片は弾性ヒンジとして作用して、適切に回転して蓋が基部に重なる。
【０００４】
前述の容器の製造用装置は、第一熱成形機械を有し、その機械は、プラスチックシート材を位置付ける方向付け手段を有し、そのプラスチックシート材は前加熱ステーションを通り、次に成形ステーションに至り、そこでそのシートは可塑成形され容器の複数の上側部分を作る。
【０００５】
第一熱成形機械と類似の第二熱成形機械では、別のプラスチックシート材から得られる容器の複数の下側部分が熱成形され、容器のこれらの下側部分は、第一熱成形機械で得られる容器の前述の上側部分に連結される。
【０００６】
しかし、容器の下側部分が容器の上側部分に連結される前に、容器の下側部分を生産物で満たす必要があり、これは、第一・第二熱成形機械の外側に配置された充填ステーションで実施される。
【０００７】
そのような装置は大変扱いにくく、生産性が低い。その主な理由は、それらのシートを前述のように移送しなけばならないことであり、時間の損失が著しい。
【０００８】
前述の装置では、容器の上側部分は、容器の下側部分が熱成形されるシート材とは別のシート材から熱成形される。
【０００９】
その二つのシートは収縮が異なるので、それらのシートの連結縁を溶着するために互いに重ねるときに、それらの連結縁が合わずに、溶着前の位置合わせ工程を難しくして、最悪の場合には、成形された容器は不合格となる。
【００１０】
別の公知の熱成形機械では、プラスチックシート材が熱成形され、容器下側部分が作られて、その下側部分は、蓋として機能する容器上側部分に並置され、そのシートの一部により上側部分に連結される。成形後、容器下側部分は、対応する容器上側部分と共に、せん断ステーションでシートから分離され、充填され、最終的には、容器上側部分は、シートのその一部をヒンジのように折って、容器下側部分に重なる。そのようにして得られた容器は、次の溶着工程に移送される。
【００１１】
この方法は幾らか複雑である。何故ならば、容器の蓋と基部はシートの同じ部分から作られるけれども、この方法は、成形が行われるその同じ機械で、充填と溶着とができず、充填の前に、容器はシートから分離される構成である。
【００１２】
更に、その公知の熱成形された容器では、蓋として機能する部分が他の部分から剥がされると、内容物全体が開いて、内容物が外気に敏感な場合にはすぐに腐り易い。
米国特許第５２０１１６３号は合成プラスチック材から作られたパッケイジを生産する方法を開示している。その方法は、
合成プラスチック材の第一ウェブを前進させる工程と、
該第一ウェブ上に、一対の互いに補完形の開いたカップ状の容器を形成する工程と、
合成プラスチック材の第二ウェブを該第一ウェブと平行に前進させる工程と、  該カップ状の容器を溢れるまで満たす工程と、
該第一・第二ウェブを互いに重ねて接触させて、該第二ウェブがその開いた容器を覆い、該第二ウェブを該第一ウェブに溶着する工程と、
プラスチック材の該第二ウェブとそこにシールされた該容器とを、前進方向に対して横方向に切り取る工程と、
その一対のシールされた補完形容器を折り重ねて、それら容器をシールするプラスチック材の該第二ウェブを当接させる工程とを具備する。
【００１３】
この発明の目的は、シート材の成形を改良することである。
別の目的は、シート材から得られる容器を成形し、充填し、続いて溶着する装置を提供することである。
更に別の目的は、公知の容器を改良することであり、特に、内容物の保護の度合いを改良することである。
【００１４】
この発明の第一様態では、装置が提供され、その装置は、シート材を成形する成形ステーションを具備し、その成形ステーションでは、成形手段がそのシート材の部分を変形させるに適し、そのシート材の変形されない部分により連結した複数の容器のシェルを作り、そのシェルを前記シート材から分離させるせん断ステーションを具備し、
前記成形ステーションと前記せん断ステーションの間に、前記シェルを生産物で満たす充填ステーションが設けられたことを特徴とする。
【００１５】
前記充填ステーションと前記せん断ステーションの間には、別のシート材を前記シェルの縁に接合するための接合ステーションが設けられ、その別のシート材は生産物を外部から隔離する。
好ましくは、前記シート材には、前記シート材の前進方向と平行に延びる折り目線が意図的に設けられている。
【００１６】
前記変形部分は前記折り目線の一方の側に配置された容器の第一部分を形成し得る。
更に、前記変形部分は前記折り目線の他方の側に配置された容器の第二部分を形成し得る。
【００１７】
このように、容器の基部本体は、例えば、容器の前記第一部分から形成され、容器の蓋は容器の前記第二部分から形成され得て、前記基部本体は充填する対象物で満たされる。
【００１８】
成形後、前記シート材は前記折り目線に沿って折られて、前記第一部分が前記第二部分に互いに合わされて、次に、接合工程とせん断工程が実施される。
従って、各容器は、第一部分と、その第一部分の周縁に沿って連結された第二部分とにより構成される。
【００１９】
この発明の第二様態では、方法が提供され、その方法では、シート材の変形させる部分を成形して、そのシート材の変形されない部分に連結された複数の容器のシェルを作り、前記シェルが前記シート材からせん断分離させ、
前記せん断工程の前に、前記シェルを生産物で満たす充填工程が設けられたことを特徴とする。
発明のこれらの様態により、生産性は向上し、取り扱いにくさは劇的に減少する。
【００２０】
この発明の第三様態は、シート材から得られる壁を有する容器であり、その容器は、第一周縁部分を有する第一部分と、第二周縁部分を有する第二部分とを具備し、該第一部分の該第一周縁部分は該第二部分の該第二周縁部分に連結され、
介在部材が前記第一周縁部分と前記該第二周縁部分との間に挿入されて、前記第一部分に第一チャンバを形成し、前記第二部分に第二チャンバを形成したことを特徴とする。
【００２１】
好ましくは、前記介在部材は前記第一周縁部分と前記第二周縁部分との少なくとも一つに取り外し可能に接合されたシート材を有する。
【００２２】
好ましくは、前記介在部材は、前記第一周縁部分と前記第二周縁部分の少なくとも一つに剥がせるように溶着されている。
【００２３】
また、前記介在部材を前記第一周縁部分に接合する剥離可能な溶着は、前記介在部材を前記容器第二部分に接合する剥離可能な溶着より強くする。これにより、該第一部分と該容器第二部分が互いに分離され開いても、該挿入部材は該第一部分に未だ接合していて、内容物の保護を確実にする。
この発明のこの様態により、容器が次の工程で開かれたときに、直ぐに使用の必要のない内容物の部分は少なくとも保護される。
【００２４】
この発明は添付図を参照して説明され、明瞭に理解される。それらの添付図は実施例であり発明を限定するものではない。
【００２５】
図１、２、１６に図示されているように、熱加工が可能なフィルム１が、リール２から巻き出され、以下に項目として示すステーションを通って、前進方向Fに沿って方向付け手段７５により方向付けられる。
加熱ステーション３：  加熱手段４がフィルムを柔化点近くの温度まで過熱する。
成形ステーション５：  成形手段６がフィルム１の部分を変形して所定の形状を有するチャンバ５０（図８）を形成する。
充填ステーション７：  チャンバ５０に包装される生産物５２を充填する。
溶着ステーション８：  溶着手段１０が生産物５２を入れたチャンバ５０を閉じる。
せん断ステーション１１：  せん断手段１２が成形され満たされ閉じた容器５３、５４、５６、８０（図１１、１３、１４、１５、１７）をフィルム１から分離する。
【００２６】
成形手段６は、引抜手段のような機械成形手段、及び／又は、圧縮空気送給ノズル又は真空成形に適した吸引ノズル等の空気圧成形手段を有する。
【００２７】
図２１に成形手段が図示されていて、その手段は雄型成形手段６０を有する。雄型成形手段６０は、空気の排出が適切にできる孔６６が設けられた雌型成形手段５９のリセス６８内に挿入可能な突部６７付き雄型成形手段６０を有する。成形されるフィルムは雄型成形手段６０と雌型成形手段５９の間に挿入される。導入路６９が雄型成形手段６０を通って圧縮空気を導入するのに適した突部６７内に設けられ、フィルムをリセス６８に密着させる。
【００２８】
図２０に成形手段が図示されていて、その手段は下側ケース６１と、上側ケース６２と、パンチ手段６３とを有する。下側ケース６１と上側ケース６２は成形されるフィルム１の一部の相対する面に押しつけられる。パンチ手段６３は上側ケース６２の内側で、フィルム１から進退可能であり、フィルム１を変形させて、パンチ手段に設けられた突起７０にフィルム１を密着される。パンチ手段は空気に吸引される開孔７１が設けられ、フィルム１がパンチ手段６３に密着するのを促進する。更にこの密着を促進するために、加圧成形流体、例えば空気が、下側ケース６１とフィルム１との間の領域に導入される。これにより、空気がフィルムをパンチ手段６３に押しつけて、フィルムが所望の形状になる。
【００２９】
フィルム１には、好ましくは前進方向Fと平行配置された折り目線Sが横断していて、折り目線Sはフィルム１を互いに隣接するフィルム第一部分１ａとフィルム第二部分１ｂとに分ける。折り目線Sはフィルム１に設けられた折線、又は切り込み線であり、以下に分かり易く説明するように、フィルムを折ってフィルムの一部を他の部分に重ね、又は、それらの部分を接合面に移動する。
【００３０】
図８、９に図示したように、フィルム１は、成形された後、フィルム第一部分１ａとフィルム第二部分１ｂ内に、互いにほぼ同形の容器５０を有し、又は、フィルム第一部分１ａ内の第一チャンバ５０ａは、フィルム第二部分１ｂ内の第二チャンバ５０ｂとは形状が異なる（図１２、１３、１４、１５）。
【００３１】
従って、複数の第一チャンバ５０ａが互いに隣接する容器の複数の基部を形成し得る。一方、複数の第二チャンバ５０ｂが互いに隣接する容器の複数の蓋を形成し得る。
【００３２】
線Sは、せん断ステーション９によりフィルム１が折られる折り目線であり、容器の複数の第二チャンバ５０ｂを容器の複数の第一チャンバ５０ａに重ねる。
【００３３】
図１６に図示したように、折曲げ手段９がフィルムのフィルム第二部分１ｂを折り目線Sの回りの１８０°回転して、フィルム第一部分１ａ上にフィルム第二部分１ｂを重ねる前に、フィルム１は前進方向Fに対して横方向の線５７に沿って部分的に切られる。線５７はフィルム第二部分１ｂを、線５７と折り目線Sとの交点まで横断している。
【００３４】
成形ステーション５と折曲げステーション９との間には、充填ステーション７が介入され、そこでは、容器の成形された基部第一チャンバ５０ａが生産物５２により満たされる。その充填は、自動でも、操作者５８により手動で実施されても良い。
【００３５】
せん断ステーション１１では、熱成形され充填され閉じられた容器５３、５４、５５、５６、８０が、せん断手段１２によりフィルム１から分離される。せん断手段１２は、加熱される空洞パンチ、打ち抜きダイス、又は、縦・横方向切断ブレードである。
【００３６】
図３、４に示す装置の実施例では、別のフィルム２０が、溶着ステーション８に至る前に、フィルム第一部分１ａとフィルム第二部分１ｂとの間に挿入され、フィルム２０は、溶着後、フィルム第一部分１ａとフィルム第二部分１ｂの両方に接合される。好都合には、フィルム２０はフィルム第一部分１ａとフィルム第二部分１ｂに剥離可能に溶着され、より詳しくは、フィルム２０をフィルム第一部分１ａに接合する剥離可能な溶着は、フィルム２０をフィルム第二部分１ｂに接合する剥離可能な溶着より強力にする。
【００３７】
図３に示す充填ステーション７では、フィルム第一部分１ａ及びフィルム第二部分１ｂ内に設けられる全ての容器５０は、生産物５２で満たされる。充填ステーション７の下流には、そのフィルム２０が巻かれるリール２１が配置され、リール２１はフィルム１に垂直な軸が設けられる。フィルム１は、フィルム第一部分１ａとフィルム第二部分１ｂを、折り目線Sの回りに、偏倚手段７６により、回転して重ねる。又、同時にフィルム１の二つの外縁A、Bを持ち上げて、外縁A、Bを折り目線Sを通る共通の鉛直面に沿って接合する。フィルム１の折り重ねが完了する前に、鉛直姿勢に配置されたリール２１から巻き出されたフィルム２０がフィルム第一部分１ａとフィルム第二部分１ｂとの間に挿入される。より詳しくは、フィルム２０はリール２１から巻き出され、前進して、水平な状態のフィルム１に、フィルム１の前進方向に垂直な方向に被さる。折り目線Sの近くに、遊転ローラ８１が配置され、その回りにフィルム２０が回転して、フィルム２０が折り目線Sを通る面内に、フィルム１と垂直に位置される。これにより、フィルム１とフィルム２０とは同じ方向に進んで、フィルム２０はフィルム１のフィルム第一部分１ａとフィルム第二部分１ｂの間に保持され、フィルム第一部分１ａとフィルム第二部分１ｂは互いに対面する方向に回転されて、それらは折り目線Sを通る鉛直面内に互いに隣接するようになる。
【００３８】
図６、７を説明すると、図３、４の装置とほぼ対応する、容器を製造する装置が図示されているが、そこではフィルム２０が挿入されない。より詳しくは、図６、７の装置は、下記のリストのステーションを順次備えている。
加熱ステーション３：
成形ステーション５：  容器８０の縦方向に並んだ容器５０がフィルム第一部分１ａ、フィルム第二部分１ｂの各部分に形成される。
溶着ステーション８：  溶着手段１０ａが空の容器８０を形成して明らかな上部開口６４を残すように容器５０を閉じる。
充填ステーション７：  容器８０が包装される流体生産物７８を例えば液体を受け入れる。流体生産物７８は開口６４に挿入可能な導入路７９により導入される。
溶着ステーション８ｂ：  開口６４を閉じて容器８０をシールする。
せん断ステーション１１：  せん断手段１２が成形され充填され閉じた容器をフィルム１から分離する。
【００３９】
図１８、１９に図示したように、容器８０は、未だ充填ステーション７ａ内でフィルム１に接合されている。二つのチャンバ５０は、溶着部８２により周縁が共に接合され、折り目線Sに配置されたヒンジ８４により連結されていて、溶着は開口６４で途切れている。
【００４０】
この発明に従った装置により、容器の各部分で一様な厚さの壁が得られ、公知の典型的な容器で壁が危険な程に薄くなることを防ぐ。
容器８０がフィルム２０により二つのチャンバスペースが持てることは明らかである。
【００４１】
図５は容器５３を形成する装置を図示し、図１、２で説明した装置と同様であり、充填ステーション７の下流にリール２１更に別のフィルム２０が巻かれるリール２１が設けられている。この場合は、リール２１は、フィルム１の折り目線Sと平行な軸を有する。
【００４２】
容器５０が既に形成されたフィルム１が、折曲げステーション９に至り、そこで、容器５０の第一部分を有するフィルム第一部分１ａが水平に保たれ、一方、容器５０の第二部分を有するフィルム第二部分１ｂが１８０°回転されて、各容器の第一・第二部分を合わせる。その回転の前に、フィルム２０が、押し込み手段により、水平に保たれたフィルム第一部分１ａ上に配置される。容器５０のその二つの部分とフィルム２０とは、溶着ステーション８において、互いに溶着される。
【００４３】
その１８０°の回転の間に、容器の内側に配置された生産物５２が滴下する惧れがある。この欠点を除くために、図８に示す機械的停止部材３３が設けられる。機械的停止部材３３は容器成形中に形成される。機械的停止部材３３により、生産物５２が少しの圧力で容器に入れられて、容器が開かれるまでの引き続く全ての運用状態の間正しい状態に保たれる。
【００４４】
成形の間、一連の歯４０（図１２）と一連のノッチ４１が、フィルム１の折り目線Sに対して相対する部分に設けられ、互いに相対するフィルムの部分、特に折り目線Sから離れた部分が、フィルム第一部分１ａがフィルム第二部分１ｂに重ねられる時に、互いに少しずれるのを防止する。歯４０とノッチ４１とは、互いに嵌るようになっていて、フィルム第一部分１ａとフィルム第二部分１ｂとが正しい位置で面が合って、それらの溶着を促進する。
【図面の簡単な説明】
【図１】    図１はこの発明による装置の正面図である。
【図２】  この発明による図１に示す装置の平面図である。
【図３】  この発明による装置の第二実施例の正面図である。
【図４】  この発明による装置の図３に示す第二実施例の平面図である。
【図５】  この発明による装置の第三実施例の破断平面図である。
【図６】  この発明による装置の第四実施例の破断正面図である。
【図７】  図６に示す装置の平面図である。
【図８】  成形されたフィルムの横断面図であり、そのフィルムは図５に示す装置の実施例において、縦中央線に沿って折る一過程を示している。
【図９】  成形されたフィルムの横断面図であり、そのフィルムは図５、６に示す装置の実施例において、縦中央線に沿って折る一過程を示している。
【図１０】  図９のフィルムから分離された容器の拡大断面詳細図である。
【図１１】  図８のフィルムから分離された容器の拡大断面詳細図である。
【図１２】  折り工程中の成形されたフィルムの一部破断横断面図であり、互いに折り重ねられたシート材の二つの半体を正確な位置に保つための保持手段を示している。
【図１３】  容器の更に別の実施例の横断面図である。
【図１４】  容器の更に別の実施例の横断面図である。
【図１５】  容器の更に別の実施例の横断面図である。
【図１６】  成形されたフィルムの縦方向部分の平面図である。
【図１７】  容器の更に別の実施例の横断面図である。
【図１８】  図１７に示す容器の左側面図である。
【図１９】  図１７と同様な図であり、液体で満たされ閉じた容器を示している。
【図２０】  成形手段の拡大断面詳細図である。
【図２１】  図２０と同様な詳細図であり、成形手段の別の例を示している。
【図１】
0004547595.tif 000002
【図２】
0004547595.tif 000003
【図３】
0004547595.tif 000004
【図４】
0004547595.tif 000005
【図５】
0004547595.tif 000006
【図６】
0004547595.tif 000007
【図７】
0004547595.tif 000008
【図８】
0004547595.tif 000009
【図９】
0004547595.tif 000010
【図１０】
0004547595.tif 000011
【図１１】
0004547595.tif 000012
【図１２】
0004547595.tif 000013
【図１３】
0004547595.tif 000014
【図１４】
0004547595.tif 000015
【図１５】
0004547595.tif 000016
【図１６】
0004547595.tif 000017
【図１７】
0004547595.tif 000018
【図１８】
0004547595.tif 000019
【図１９】
0004547595.tif 000020
【図２０】
0004547595.tif 000021
【図２１】
0004547595.tif 000022